(57)【要約】      （修正有）【課題】本発明の主な目的は、被施療者に快適な温度でマッサージを供与することができるマッサージ機およびエアバッグの制御方法を提供することである。【解決手段】マッサージ機は、ベース部２５１と、ベース部２５１に設けられた膨縮自在な膨縮袋２５２（エアバッグ）と、膨縮袋２５２（エアバッグ）内に設けられたＰＴＣ面状発熱体２５６と、を含むものである。【選択図】図３
2017176247.tif 000002
【特許請求の範囲】
【請求項１】
マッサージ機であって、
ベース部と、
前記ベース部に設けられた膨縮自在なエアバッグと、
前記エアバッグ内に設けられた面状ヒータ部材と、を含む、マッサージ機。
【請求項２】
前記面状ヒータ部材は、前記エアバック内の前記ベース部側に設けられた、請求項１記載のマッサージ機。
【請求項３】
前記エアバッグ内にクッション部材が設けられ、
前記クッション部材には、１または複数の面状ヒータ部材が内蔵された、請求項１または２記載のマッサージ機。
【請求項４】
前記エアバッグ内にクッション部材が設けられ、
前記クッション部材の少なくとも外観側には、１または複数の面状ヒータ部材が配設された、請求項１から３のいずれか１項に記載のマッサージ機。
【請求項５】
前記面状ヒータ部材は、１または複数のシート状ヒータ、および、１または複数のＰＴＣヒータの少なくとも一方からなる、請求項１から４のいずれか１項に記載のマッサージ機。
【請求項６】
エアバッグを最大限に膨張させる最大膨張工程と、
前記エアバッグに被施療者の圧力が加わった場合でも前記エアバッグ内に設けられた面状ヒータに前記被施療者が接触しないよう前記エアバッグを維持させる最小膨張工程と、
前記最大膨張工程および前記最小膨張工程を交互に動作させるマッサージ工程と、を含む、エアバッグの制御方法。
【請求項７】
前記エアバッグを最小限に収縮させる最小収縮工程を、さらに含む請求項６記載のエアバッグの制御方法。
【発明の詳細な説明】
【技術分野】
【０００１】
本発明は、マッサージ機に関する。
【背景技術】
【０００２】
特開２０１３−２０８３３２号公報（特許文献１）には、比較的簡単な構成で、指圧系のマッサージとさすり系のマッサージとを両立する着座式マッサージ装置について開示されている。
【０００３】
特開２００４−３５７９４６号公報（特許文献２）には、エアマッサージ機に一般に用いられる空気袋を使用しながらも、空気袋が被施療部位を押圧したとき空気袋の表面の硬さを被施療部位に感じさせないのは勿論、空気袋の膨張圧を被施療部位の広い範囲に略均一に負荷させるようにして、被施療部位に施すマッサージの快適さを向上できるエアマッサージ機について開示されている。
【先行技術文献】
【特許文献】
【０００４】
【特許文献１】特開２０１３−２０８３３２号公報
【特許文献２】特開２００４−３５７９４６号公報
【発明の概要】
【発明が解決しようとする課題】
【０００５】
特許文献１または特許文献２には、エアバッグ（空気袋）と緩衝材との関係について記載されている。特に、特許文献２には、クッション材を空気袋の被施療部位側に重ねて配置することが記載されている。
【０００６】
しかしながら、近年、被施療者の好みも多様化している。特に冬場において、マッサージを受ける場合、エアバッグ（空気袋）が冷えた状態で、被施療者が不快を感じてしまうという問題がある。
【０００７】
本発明の主な目的は、被施療者に快適な温度でマッサージを供与することができるマッサージ機およびエアバッグの制御方法を提供することである。
【課題を解決するための手段】
【０００８】
（１）
一局面に従うマッサージ機は、マッサージ機であって、ベース部と、ベース部に設けられた膨縮自在なエアバッグと、エアバッグ内に設けられた面状ヒータ部材と、を含むものである。
【０００９】
この場合、ベース部に設けられたエアバッグが、膨張する場合、エアバッグ内に設けられた面状ヒータ部材によりエアバッグ内の気体を温めることができる。その結果、被施療者に快適な温度でマッサージを供与することができる。
【００１０】
（２）
第２の発明にかかるマッサージ機は、一局面に従うマッサージ機において、面状ヒータ部材は、エアバック内のベース部側に設けられてもよい。
【００１１】
この場合、ベース部側に面状ヒータ部材が設けられているので、エアバッグ内の気体を確実に温めることができる。
【００１２】
（３）
第３の発明にかかるマッサージ機は、一局面または第２の発明にかかるマッサージ機において、エアバッグ内にクッション部材が設けられ、クッション部材には、１または複数の面状ヒータ部材が内蔵されてもよい。
【００１３】
この場合、クッション部材を設けることにより、クッション性を被施療者に供与することができる。また、クッション性および温熱効果を被施療者に供与することができる。
その結果、施療のバリエーションを増加することができる。また、クッション部材は、発砲部材からなるので、緩衝性および可撓性を保持させることができる。
【００１４】
（４）
第４の発明にかかるマッサージ機は、一局面から第３の発明にかかるマッサージ機において、エアバッグ内にクッション部材が設けられ、クッション部材の少なくとも外観側には、１または複数の面状ヒータ部材が配設されてもよい。
【００１５】
この場合、エアバッグ内にクッション部材が設けられているので、クッション性を被施療者に供与しつつ、クッション部材の外観側に１または複数の面状ヒータが配設されているので、エアバッグ内の気体を効率よく温めることができる。
【００１６】
（５）
第５の発明にかかるマッサージ機は、一局面から第４の発明にかかるマッサージ機において、面状ヒータ部材は、１または複数のシート状ヒータ、および、１または複数のＰＴＣヒータの少なくとも一方からなってもよい。
【００１７】
この場合、面状ヒータ部材は、１または複数のシート状ヒータ、１または複数のＰＴＣヒータ等が含まれる。
【００１８】
（６）
他の発明にかかるエアバッグの制御方法は、エアバッグを最大限に膨張させる最大膨張工程と、エアバッグに被施療者の圧力が加わった場合、エアバッグ内に設けられた面状ヒータに被施療者が接触しないようエアバッグを維持させる最小膨張工程と、最大膨張工程および最小膨張工程を交互に動作させるマッサージ工程と、を含むものである。
【００１９】
この場合、エアバッグが最小膨張の場合には、被施療者の圧力が加わった場合に、エアバッグが凹む量を見越しても、面状ヒータに被施療者の身体が接触しないようエアバッグの膨張量を制御することができる。
その結果、マッサージを行う場合、最大膨張工程および最小膨張工程を繰り返すことで、被施療者に適切なマッサージを供与することができる。
【００２０】
（７）
第７の発明にかかるエアバッグの制御方法は、他の発明にかかるエアバッグの制御方法において、エアバッグを最小限に収縮させる最小収縮工程を、さらに含んでもよい。
【００２１】
この場合、エアバッグによるマッサージを行わない場合、エアバッグを最小にすることができる。
【図面の簡単な説明】
【００２２】
【図１】本発明の実施形態にかかる椅子式マッサージ機の構成を示す斜視図である。
【図２】腰エアバッグ部の一例を示す模式図である。
【図３】腰エアバッグ部の一例を示す模式図である。
【図４】腰エアバッグ部の一例を示す模式図である。
【図５】腰エアバッグ部の他の例を示す模式図である。
【図６】腰エアバッグ部の他の例を示す模式図である。
【図７】腰エアバッグ部の他の例を示す模式図である。
【図８】腰エアバッグ部のさらに他の例を示す模式図である。
【図９】腰エアバッグ部のさらに他の例を示す模式図である。
【図１０】腰エアバッグ部のさらに他の例を示す模式図である。
【発明を実施するための形態】
【００２３】
以下、図面を参照して、本発明の実施形態を詳しく説明する。図中同一又は相当部分には同一符号を付してその説明を繰り返さない。なお、説明をわかりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２４】
[実施の形態]
図１は、本発明の実施形態にかかる椅子式マッサージ機１００の構成を示す斜視図である。
図１に示すように、本発明の実施形態による椅子式マッサージ機１００は、座部２００、腰エアバッグ部２５０、背凭れ部３００、基台部４００、腕施療部５００、操作部７００、スタンド８００および脚載部９００を備える。
【００２５】
なお、以下の説明において、図１に示すように、椅子式マッサージ機１００においては、座部２００に背凭れ部３００が形成された側を後側（ＢＡＣＫ）と仮定し、後側（ＢＡＣＫ）と逆側を前側（ＦＲＯＮＴ）と仮定し、それぞれ、左側（ＬＥＦＴ）および右側（ＲＩＧＨＴ）と、上側（ＵＰ）および下側（ＤＯＷＮ）とを仮定する。  
【００２６】
図１に示すように、椅子式マッサージ機１００の背凭れ部３００は、被施療者の肩、腰、背中を支持するとともに、前後方向に起倒可能に形成される。また、背凭れ部３００には、施療子（一対の揉み玉）がガイドレールに沿って上下方向に移動可能に内蔵されている。施療子は、揉み、叩き、ローリングなどの多様な施療動作が可能なよう、一対の揉み玉で形成される。
【００２７】
図１の座部２００に立設して設けられた腰エアバッグ部２５０には、１または複数の反復膨張する膨縮袋２５２（エアー施療部）（図２〜図１０参照）が内蔵され、該膨縮袋２５２により被施療者の臀部を支持しつつ施療する。また、脚載部９００は、座部２００および基台部４００の前端に軸支され、脚載部９００自体が回動可能に設けられている。
脚載部９００においては、腰エアバッグ部２５０と同様の１または複数の反復膨張する膨縮袋２５２（図示略）が設けられており、該膨縮袋２５２により被施療者の脚を施療する。
【００２８】
また、腕施療部５００は、図１の座部２００の左右両側に立設して設けられる。腕施療部５００には、腰エアバッグ部２５０と同様の１または複数の反復膨張する膨縮袋２５２（図示略）が内蔵され、該膨縮袋２５２により被施療者の腕を支持しつつ施療する。
【００２９】
次に、本実施の形態にかかる腰エアバッグ部２５０の構造の一例について説明を行う。
【００３０】
図２、図３および図４は、腰エアバッグ部２５０の一例を示す模式図である。
なお、図２は、腰エアバッグ部２５０の膨縮袋２５２が収縮した状態を示す。すなわち、図２は、腰エアバッグ部２５０の膨縮袋２５２を動作させない状態である。
また、図３は、腰エアバッグ部２５０の膨縮袋２５２が最大限膨張した状態を示し、図４は、腰エアバッグ部２５０の膨張袋が動作されている場合の最小限収縮した状態を示す。
【００３１】
まず、図２、図３および図４に示す腰エアバッグ部２５０は、ベースとなるフレームまたはフレームに取り付けられた樹脂部品２５１（以下、ベース部と呼ぶ）に対して、膨縮袋２５２が取り付けられ、膨縮袋２５２内で、かつベース部２５１側にＰＴＣ（正温度係数）面状発熱体２５６が設けられる。なお、本実施の形態においては、ＰＴＣ面状発熱体２５６を用いることとしたが、これに限定されず、面状ヒータ、シート状ヒータ、フィルムヒータ、その他の温調装置からなってもよい。
【００３２】
ここで、ＰＴＣ面状発熱体２５６は、温度が上昇した場合、抵抗値も上昇する性質を有する。その結果、温度が緩やかに上昇した後、所定の温度で安定するため温度調整回路が不要となり、コスト増加を抑制することができる。また、消費電力も一定となるため、電力削減することができるというメリットを有する。
【００３３】
次に、図２に示すように、腰エアバッグ部２５０の膨縮袋２５２を動作させず収縮した状態の場合、ＰＴＣ面状発熱体２５６を電源オフまたは低温で維持する。ここでいう低温とは、人体の体温と同程度、例えば３２度から３６度までの範囲の温度を意味する。
【００３４】
一方、腰エアバッグ部２５０の膨縮袋２５２を動作させた場合、膨縮袋２５２は、図３または図４に示した状態を繰り返す。以下、説明のために、図３の膨縮袋２５２の状態を最大膨張と呼び、図４の膨縮袋２５２の状態を最小膨張と呼ぶ。また、図３に示すように、最大膨張の場合、膨縮袋２５２は、厚みＴ１であり、図４に示すように、最小膨張の場合、膨縮袋２５２は、厚みＴ２である。
【００３５】
図３および図４に示すように、腰エアバッグ部２５０の膨縮袋２５２が最大膨張および最小膨張を繰り返す場合、ＰＴＣ面状発熱体２５６の温度を上昇させる。その結果、膨縮袋２５２内の気体の温度を直接的に温めることができる。
【００３６】
また、図４に示すように、膨縮袋２５２が最小膨張の場合には、被施療者の圧力が加わった場合に、膨縮袋２５２が凹む量ＡＲＴ１を見越しても、ＰＴＣ面状発熱体２５６に膨縮袋２５２を介して被施療者の身体が接触しないよう制御されている。
【００３７】
（他の例）
以下、図２乃至図４に示した腰エアバッグ部２５０の構造の他の例について説明を行う。他の例においては、図２乃至図４の膨縮袋２５２内にクッション性のあるウレタンフォーム２５４をさらに配設したものである。
【００３８】
図５、図６および図７は、腰エアバッグ部２５０の他の例を示す模式図である。
なお、図５は、腰エアバッグ部２５０ａの膨縮袋２５２が収縮した状態を示す。すなわち、図５は、腰エアバッグ部２５０ａの膨縮袋２５２を動作させない状態である。
また、図６は、腰エアバッグ部２５０ａの膨縮袋２５２が最大限膨張した状態を示し、図７は、腰エアバッグ部２５０ａの膨縮袋２５２が動作されている場合の最小限収縮した状態を示す。
【００３９】
まず、図５、図６および図７に示す腰エアバッグ部２５０ａは、ベースとなるフレームまたはフレームに取り付けられたベース部２５１に対して、膨縮袋２５２が取り付けられ、膨縮袋２５２内で、かつベース部２５１側にウレタンフォーム２５４が設けられる。また、ウレタンフォーム２５４の内部にＰＴＣ面状発熱体２５６が設けられる。
【００４０】
次に、図５に示すように、腰エアバッグ部２５０ａの膨縮袋２５２が収縮した場合、クッション性のあるウレタンフォーム２５４自体の素材の厚みＴ１１に対して被施療者の圧力により凹み量ＡＢＳＴ１が生じる。被施療者は、凹み量ＡＢＳＴ１によりクッション性を感じることができる。
この場合、ＰＴＣ面状発熱体２５６は、被施療者の選択により電源オフまたは温度を低温で維持させてもよい。温度を低温で維持させることを選択した場合、被施療者は、クッション性を感じつつ温熱効果を供与することができる。
【００４１】
次いで、図６および図７に示すように、腰エアバッグ部２５０ａの膨縮袋２５２が最大膨張および最小膨張を繰り返す場合、ＰＴＣ面状発熱体２５６の温度をさらに上昇させる。その結果、膨縮袋２５２内の気体の温度を間接的に温めることができる。
【００４２】
また、図６および図７に示すように、膨縮袋２５２が最小膨張の状態は、被施療者の圧力が加わり、膨縮袋２５２が凹む量ＡＲＴ１だけ凹んだとしても、ウレタンフォーム２５４に接触しないことが望ましい。
【００４３】
（さらに他の例）
以下、図２乃至図７に示した腰エアバッグ部２５０，２５０ａの構造のさらに他の例について説明を行う。他の例においては、図５乃至図７の膨縮袋２５２内のクッション性のあるウレタンフォーム２５４の外観側にＰＴＣ面状発熱体２５６を配設したものである。
【００４４】
図８、図９および図１０は、腰エアバッグ部２５０のさらに他の例を示す模式図である。
図８は、腰エアバッグ部２５０ｂの膨縮袋２５２が収縮した状態を示す。すなわち、図８は、腰エアバッグ部２５０ｂの膨縮袋２５２を動作させない状態である。
また、図９は、腰エアバッグ部２５０ｂの膨縮袋２５２が最大限膨張した状態を示し、図１０は、腰エアバッグ部２５０ｂの膨縮袋２５２が動作されている場合の最小限収縮した状態を示す。
【００４５】
まず、図８、図９および図１０に示す腰エアバッグ部２５０ｂは、ベースとなるフレームまたはフレームに取り付けられたベース部２５１に対して、膨縮袋２５２が取り付けられ、膨縮袋２５２内で、かつベース部２５１側にウレタンフォーム２５４が設けられる。また、ウレタンフォーム２５４の外観側に複数に細分化されたＰＴＣ面状発熱体２５６が設けられる。
【００４６】
次に、図８に示すように、腰エアバッグ部２５０ｂの膨縮袋２５２が収縮した場合、クッション性のあるウレタンフォーム２５４自体の素材の厚みＴ１１に対して被施療者の圧力により凹み量ＡＢＳＴ１が生じる。被施療者は、凹み量ＡＢＳＴ１によりクッション性を感じることができる。
この場合、細分化されたＰＴＣ面状発熱体２５６は、被施療者の選択により電源オフまたは温度を低温で維持させてもよい。温度を低温で維持させることを選択した場合、被施療者は、クッション性を感じつつ温熱効果を供与することができる。
また、細分化されているので、ウレタンフォーム２５４のクッション性を阻害することがない。
【００４７】
次いで、図９および図１０に示すように、腰エアバッグ部２５０ｂの膨縮袋２５２が最大膨張および最小膨張を繰り返す場合、ＰＴＣ面状発熱体２５６の温度をさらに上昇させる。その結果、膨縮袋２５２内の気体の温度を直接的に温めることができる。
【００４８】
以上のように、本実施の形態にかかるマッサージ機１００は、ベース部２５１に設けられた膨縮袋２５２が、膨張する場合、膨縮袋２５２内に設けられたＰＴＣ面状発熱体２５６により膨縮袋２５２内の気体を直接的または間接的に温めることができる。その結果、被施療者に快適な温度でマッサージを供与することができる。
【００４９】
さらに、ウレタンフォーム２５４を設けることにより、クッション性を施療者に供与することができる。また、クッション性および温熱効果を被施療者に供与することができる。その結果、施療のバリエーションを増加することができる。
また、膨縮袋２５２内にウレタンフォーム２５４が設けられているので、クッション性を被施療者に供与しつつ、ウレタンフォーム２５４の外観側に１または複数のＰＴＣ面状発熱体２５６が配設されているので、膨縮袋２５２内の気体を効率よく温めることができる。
【００５０】
以上、本発明の実施形態について説明したが、本発明は、上記した実施形態に限定されることはなく、種々変形することが可能である。
例えば、ウレタンフォーム２５４は、発泡性素材に限定されず、スポンジ状、その他クッション性を有する布、素材を用いてもよい。
さらに、腰エアバッグ部２５０から２５０ｂまでについて説明を行ったが、これに限定されず、脚載部９００、腕施療部５００、背凭れ部３００、座部２００におけるエアバッグ部に適用してもよい。
また、本実施の形態においては、椅子式マッサージ機１００について説明したが、これに限定されず、他の任意のマッサージ機のエアバッグ部に適用することができる。
【００５１】
（実施形態における各部と請求項の各構成要素との対応関係）
本発明において、椅子式マッサージ機１００が、「マッサージ機」に相当し、座部２００が「座部」に相当し、背凭れ部３００が「背もたれ部」に相当し、ベース部２５１が「ベース部」に相当し、膨縮袋２５２が「エアバッグ」に相当し、ウレタンフォーム２５４が「クッション部材」に相当し、ＰＴＣ面状発熱体２５６が「面状ヒータ部材」に相当し、図４、図７、図１０が「最小膨張」に相当し、図３、図６、図９が「最大膨張」に相当し、図２、図５、図８が「最小収縮」に相当する。
【００５２】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００５３】
１００  椅子式マッサージ機
２００  座部
２５０、２５０ａ、２５０ｂ  腰部エアバッグ部
２５１  ベース部
２５２  膨縮袋
２５４  ウレタンフォーム
２５６  ＰＴＣ面状発熱体
３００  背凭れ部
【図１】
2017176247.tif 000003
【図２】
2017176247.tif 000004
【図３】
2017176247.tif 000005
【図４】
2017176247.tif 000006
【図５】
2017176247.tif 000007
【図６】
2017176247.tif 000008
【図７】
2017176247.tif 000009
【図８】
2017176247.tif 000010
【図９】
2017176247.tif 000011
【図１０】
2017176247.tif 000012
【手続補正書】
【提出日】平成29年3月16日(2017.3.16)
【手続補正１】
【補正対象書類名】明細書
【補正対象項目名】００３０
【補正方法】変更
【補正の内容】
【００３０】
図２、図３および図４は、腰エアバッグ部２５０の一例を示す模式図である。
なお、図２は、腰エアバッグ部２５０の膨縮袋２５２が収縮した状態を示す。すなわち、図２は、腰エアバッグ部２５０の膨縮袋２５２を動作させない状態である。
また、図３は、腰エアバッグ部２５０の膨縮袋２５２が最大限膨張した状態を示し、図４は、腰エアバッグ部２５０の膨張袋が動作されている場合の最小限膨張した状態を示す。
【手続補正２】
【補正対象書類名】明細書
【補正対象項目名】００３８
【補正方法】変更
【補正の内容】
【００３８】
図５、図６および図７は、腰エアバッグ部２５０の他の例を示す模式図である。
なお、図５は、腰エアバッグ部２５０ａの膨縮袋２５２が収縮した状態を示す。すなわち、図５は、腰エアバッグ部２５０ａの膨縮袋２５２を動作させない状態である。
また、図６は、腰エアバッグ部２５０ａの膨縮袋２５２が最大限膨張した状態を示し、図７は、腰エアバッグ部２５０ａの膨縮袋２５２が動作されている場合の最小限膨張した状態を示す。
【手続補正３】
【補正対象書類名】明細書
【補正対象項目名】００４４
【補正方法】変更
【補正の内容】
【００４４】
図８、図９および図１０は、腰エアバッグ部２５０のさらに他の例を示す模式図である。
図８は、腰エアバッグ部２５０ｂの膨縮袋２５２が収縮した状態を示す。すなわち、図８は、腰エアバッグ部２５０ｂの膨縮袋２５２を動作させない状態である。
また、図９は、腰エアバッグ部２５０ｂの膨縮袋２５２が最大限膨張した状態を示し、図１０は、腰エアバッグ部２５０ｂの膨縮袋２５２が動作されている場合の最小限膨張した状態を示す。